(57)【特許請求の範囲】
【請求項１】
傘の中棒に装着され、傘骨が枢動可能に放射状に支持連結されるように構成された傘のろくろであって、
前記中棒に装着されるように前記中棒の長く延びる軸線に沿う方向である軸方向に沿って延伸されてなった空筒状のろくろ本体を有し、
前記ろくろ本体の外周面は、所定の角間隔をおいて複数の凹部と複数の凸部とが交互に配置されるように凹凸状に形成され、
前記凸部は、前記凹部側の２つの第１の側壁を有し、それぞれには、前記傘骨が枢支連結されるための枢支軸が前記軸線の周りである周方向に沿って棒状に突き出て設けられ、
前記凹部には、隣り合わせた前記凸部と共に前記傘骨を挟持定位する留めブロックが差し込まれて設けられ、
前記留めブロックは、隣り合わせた前記凸部の前記第１の側壁と対向する第２の側壁を有し、
前記第１の側壁と前記第２の側壁には、第１の係着部と第２の係着部とが互いに係着可能に凹凸状に設けられ、
前記留めブロックの前記第２の係着部が設けられた両側部の間には、前記軸方向沿いに延伸されるスロットが設けられていることを特徴とする傘のろくろ。
【請求項２】
前記第１の係着部としては、前記凸部の２つの前記第１の側壁に前記周方向に沿ってリブ状に突き出た突起が形成され、
前記第２の係着部としては、前記留めブロックの前記第２の側壁に前記第１の係着部が嵌入される係止溝が前記軸方向に沿って窪んで形成され、
前記凹部における前記ろくろ本体の外周面には、前記凸部における隣り合わせた２つの対向する前記第１の係着部間の周方向沿いの幅が奥側の周方向沿いの幅よりも狭くなっていると共に、前記軸方向沿いに延伸された縦溝が形成されていることを請求項１に記載の傘のろくろ。
【請求項３】
前記留めブロックの内周面には、前記枢支軸が差し込まれる周方向沿いに延伸された周溝が設けられ、
隣り合わせの前記凸部の対向する２つの枢支軸の間は、前記枢支軸が前記傘骨に設けられた枢支孔に枢動可能に挿通されるように前記傘骨が差し込み可能な隙間が形成されていることを特徴とする請求項１又は２に記載の傘のろくろ。
【請求項４】
前記ろくろ本体は、前記中棒に装着されるように上下一体に嵌合する空筒状の上管体と下管体とから構成され、
前記上管体に第１の凸部及び第１の凹部が凹凸状に形成され、前記下管体に第２の凸部及び第２の凹部とが凹凸状に形成され、前記第１の凸部と前記第２の凸部とにより前記凸部が構成され、前記第１の凹部と前記第２の凹部とにより前記凹部が構成されていることを特徴とする請求項１〜３のいずれか一項に記載の傘のろくろ。
【請求項５】
前記下管体は、前記第１の凸部と前記留めブロックとが支持連結されるブラケット台が径方向の外向きに環状に突き出て設けられ、
前記ブラケット台の上端面には、前記第２の凸部と前記第２の凹部とが前記軸方向に沿って凹凸状に形成されていることを特徴とする請求項４に記載の傘のろくろ。
【請求項６】
前記第１の凸部と前記留めブロック、及び前記第２の凸部と前記第２の凹部は、互いに嵌合可能に前記軸方向に沿って凹凸状に設けられた第１の係合部と第２の係合部とを有することを特徴とする請求項５に記載の傘のろくろ。
【請求項７】
前記第２の係合部は、前記ブラケット台の上端面より前記軸方向沿いに窪んで形成され、
前記第１の係合部は、前記第１の凸部及び前記留めブロックの前記ブラケット台側の下端面より前記軸方向沿いに突き出て形成され、
前記第１の係着部は、前記第２の凸部の前記第２の凹部側の両側壁に設けられていることを特徴とする請求項６に記載の傘のろくろ。
【請求項８】
前記枢支軸は、前記傘骨が挿通される部分であり且つ前記凸部の第１の側壁から離れた部分である挿通端部と、前記傘骨が挿通されて枢支される部分であり且つ前記凸部の第１の側壁に近い部分である基端部とを有し、
前記挿通端部は、前記傘骨が挿通された後脱離不能に、前記基端部よりも太く設けられていることを特徴とする請求項１〜７のいずれか一項に記載の傘のろくろ。
【発明の詳細な説明】
【技術分野】
【０００１】
本発明は、傘のろくろに関する。
【背景技術】
【０００２】
従来より、傘における上ろくろ及び下ろくろには、傘骨における親骨及び受骨の中棒側基端を受け入れるための、中棒の長く延びる方向である長手方向沿いに延びる縦溝と、かかる縦溝を横断する外周溝とが形成されている。親骨及び受骨の基端には枢支孔が形成されており、対応する孔には例えば針金などの線材を用いた集束部材を挿通しながら外周溝に巻き付け、集束部材の両端を捩じり合わせてリング状にすることにより、親骨及び受骨を上ろくろとランナーに集束して開閉動可能に取り付けている（例えば特許文献１参照）。
【０００３】
従来の傘では、針金の捻り合せ端部は別設の収容溝やキャップなどに収容されることにより緩みなどの不具合を回避することができるが、使用につれて収容溝からの脱落やキャップの紛失などで、針金が露出し、その切っ先で指を負傷したり、衣服、傘布が引っ掛かって損傷したりすることがある。
【０００４】
従来の上記問題点を解決する傘の一例では、両端が折り曲げられた集束リングを用いて親骨及び受骨の対応する枢支孔に挿通し、対応する縦溝に挿入しつつ外周溝に装着し、ろくろに固定キャップが螺結されていることにより、親骨及び受骨が対応するろくろに枢動可能に連結されていると共に、集束リングの折り曲げられた両端が露出せずにろくろ内に固着されている（例えば特許文献２参照）。
【先行技術文献】
【特許文献】
【０００５】
【特許文献１】台湾登録実用新案第Ｍ４０２６３０号明細書
【特許文献２】台湾特許第Ｉ３６５７２９号明細書
【発明の概要】
【発明が解決しようとする課題】
【０００６】
上記従来の傘において、集束リングを親骨及び受骨の対応する枢支孔に挿通し、対応する縦溝に挿入しつつ外周溝に装着するなどの組立作業は煩雑であり、固定キャップのろくろとの螺結作業もあるので、製造手間が掛かり、効率的に傘を製造することができず、製造コストが上がる問題点がある。
【０００７】
本発明は、上記問題点に鑑みてなされたものであり、傘骨の組立てを手間が掛らず簡単に且つ効率的に行うことができる傘のろくろを提供することを目的とする。
【課題を解決するための手段】
【０００８】
上記目的を達成ために、本発明に係る傘のろくろは、傘の中棒に装着され、傘骨が枢動可能に放射状に支持連結されるように構成された傘のろくろであって、前記中棒に装着されるように前記中棒の長く延びる軸線に沿う方向である軸方向に沿って延伸されてなった空筒状のろくろ本体を有し、前記ろくろ本体の外周面は、所定の角間隔をおいて複数の凹部と複数の凸部とが交互に配置されるように凹凸状に形成され、前記凸部は、前記凹部側の２つの第１の側壁を有し、それぞれには、前記傘骨が枢支連結されるための枢支軸が前記軸線の周りである周方向に沿って棒状に突き出て設けられ、前記凹部には、隣り合わせた前記凸部と共に前記傘骨を挟持定位する留めブロックが差し込まれて設けられ、前記留めブロックは、隣り合わせた前記凸部の前記第１の側壁と対向する第２の側壁を有し、前記第１の側壁と前記第２の側壁には、第１の係着部と第２の係着部とが互いに係着可能に凹凸状に設けられ、前記留めブロックの前記第２の係着部が設けられた両側部の間には、前記軸方向沿いに延伸されるスロットが設けられていることを特徴とする。
【発明の効果】
【０００９】
以上のように構成された本発明に係る傘のろくろによれば、留めブロックの両側部がスロットによりアーム形状に形成されているので、留めブロックが凹部に挿入されると、留めブロックのアーム形状の両側部が第１の係着部によって押されながらスロット側に揺動すると共に、側部の先端が第１の係着部を通り越すと、第１の係着部に第２の係着部が引っ掛けられて係止される。したがって、ろくろに傘骨が取り付けられるとき、針金などの線材を使わないので、ねじやツールを使わなくてもろくろに傘骨が枢動可能に取り付けられることができる。従って、傘骨のろくろへの組立て手間が掛からず簡単に行うことができ、効率的に傘を製造することができ、製造のコストダウンを図ることができる。
【図面の簡単な説明】
【００１０】
【図１】本発明に係る傘のろくろの実施例１を示す斜視図である。
【図２】実施例１のろくろの分解斜視図である。
【図３】実施例１のろくろの縦断面図である。
【図４】図３のろくろのIV−IV線横断面図である。
【図５】本発明に係る傘のろくろの実施例２を示す斜視図である。
【図６】実施例２のろくろの分解斜視図である。
【図７】実施例２のろくろの縦断面図である。
【図８】図７のろくろのVIII−VIII線横断面図である。
【発明を実施するための形態】
【００１１】
以下、本発明をいくつかの好適な実施例をもとに図面を参照しながら説明する。各図面に示される同一または同等の構成要素には重複した説明は適宜省略する。また、各実施例は、発明を限定するものではなく例示であって、実施例に記述されるすべての特徴やその組み合わせは、必ずしも発明の本質的なものであるとは限らない。
【００１２】
（実施例１）
図１は、本発明に係る傘のろくろの実施例１を示す斜視図、図２は、実施例１のろくろの分解斜視図、図３は、実施例１のろくろの縦断面図、図４は、図３のろくろのIV−IV線横断面図である。
【００１３】
本実施例に係る傘のろくろ１００は、例えば上ろくろとして、傘（図示せず）の中棒３００の上端に装着され、傘骨４００が枢動可能に放射状に支持連結されるように構成されたものである。傘骨４００は例えば親骨であり、その基端部４０１には枢支孔４１０が設けられている。
【００１４】
中棒３００は、所定の軸線Ｌを中心軸として軸線Ｌに沿う方向である軸方向に沿って長手状に延びている。
【００１５】
ろくろ１００は、中棒３００の上端部に連結して設けられている、軸方向に沿って延伸されてなった空筒状のろくろ本体１０を有する。本例において、ろくろ本体１０の上部は、その下部よりも径大であるように、軸方向と直角の径方向の外向きに円環状に膨出して形成されている。ろくろ本体１０の上部は、その外周面１１１より所定の角間隔をおいて複数の凹部１２０と複数の凸部１２とが交互に配置されるように凹凸状に形成されている。
【００１６】
凸部１２は、凹部１２０側の２つの第１の側壁１２１を有し、それぞれには、傘骨４００が枢支連結されるための枢支軸１２２が軸線Ｌの周りである周方向に沿って棒状に突き出て設けられている。この例では、枢支軸１２２は、傘骨４００が挿通される部分であり且つ凸部１２の第１の側壁１２１から離れた部分である挿通端部１２４と、傘骨４００が挿通されて枢支される部分であり且つ凸部１２の第１の側壁１２１に近い部分である基端部１２３とを有し、挿通端部１２４は、傘骨４００が挿通された後脱離不能にするよう、基端部１２３よりも太く設けられており、傘骨４００が簡単に挿入されるように細く形成されたガイド部１２４ａと、傘骨４００が挿通された後脱離不能にするよう基端部１２３との間に段差が形成された係止部１２４ｂとを有する。
【００１７】
隣り合わせの凸部１２、１２の対向する２つの枢支軸１２２、１２２の間には、傘骨４００に設けられた枢支孔４１０に枢支軸１２２が枢動可能に挿通されるように傘骨４００を差し込み可能な隙間１２６が形成されている。
【００１８】
凹部１２０には、隣り合わせた凸部１２と共に傘骨４００を挟持定位する留めブロック１４が差し込まれて設けられている。
【００１９】
留めブロック１４は、隣り合わせた凸部１２の第１の側壁１２１と対向する第２の側壁１４１を有する。
【００２０】
凸部１２及び留めブロック１４のそれぞれ対向する第１の側壁１２１と第２の側壁１４１には、互いに係着可能に凹凸状に形成された第１の係着部１３２と第２の係着部１４３とが設けられている。
【００２１】
第１の係着部１３２、１３２としては、この例では、凸部１２の２つの第１の側壁１２１、１２１に、周方向の外向きに突き出て軸方向に延伸されるようにリブ状の突起が形成されている。
【００２２】
第２の係着部１４３としては、この例では、留めブロック１４の第２の側壁１４１、１４１にリブ状の突起に形成された第１の係着部１３２、１３２が嵌入される係止溝１４３が周方向の内向きに窪んで軸方向に延伸されるように形成されている。
【００２３】
この例では、第１の係着部１３２と第２の係着部１４３とが穏固に係合されるように、凹部１２０におけるろくろ本体１０の外周面１１１には、凸部１２における隣り合わせた２つの対向する第１の係着部１３２間の開口部１３１の周方向沿いの幅がより奥側の底部１３３の周方向沿いの幅よりも狭くなっていると共に、軸方向沿いに延伸された縦溝１３が形成されている。
【００２４】
留めブロック１４の内周面１４８には、枢支軸１２２が差し込まれる周方向沿いに延伸された周溝１４６が設けられ、留めブロック１４の第２の係着部１４３、１４３が設けられた両側部１４２、１４２の間には、両側部１４２、１４２がアーム状に径方向の内向きに突き出るように、軸方向沿いに延伸されるスロット１４５が設けられている。周溝１４６の内壁面には、枢支軸１２２の係止部１２４ｂに当接係止される肩部１４７、１４７が設けられている。
【００２５】
第２の側壁１４１における周溝１４６よりも下方には、縦溝１３の底部１３３に当接係止される嵌合部１４４が設けられている。
【００２６】
次に、本実施例に係る傘のろくろの組立て及び作用を以下に説明する。
まず、傘骨４００を対向する枢支軸１２２、１２２の隙間１２６より挿入し、傘骨４００の枢支孔４１０に枢支軸１２２が挿通すると、傘骨４００が凸部１２の第１の側壁１２１側に移動すると共に枢支軸１２２に枢動可能に連結される。そして、留めブロック１４のアーム形状の両側部１４２、１４２が縦溝１３に向かって押しつけられると、枢支軸１２２が周溝１４６に挿入され、肩部１４７が係止部１２４ｂに係止されると共に、両側部１４２がスロット１４５側に弾性的に揺動しながら、嵌合部１４４がリブ状の第１の係着部１３２を乗り越えて底部１３３に嵌合される。以上により、傘骨４００が凸部１２及び留めブロック１４により挟持されながらろくろ１００に枢動可能に連結されることができる。
【００２７】
このように、本実施例に係るろくろによれば、針金などの線材を使わないので、ねじやツールを使わなくても傘骨４００が枢動可能に取り付けられることができる。従って、傘骨のろくろへの組立て手間が掛からず簡単に行うことができ、効率的に傘を製造することができ、製造のコストダウンを図ることができる。
【００２８】
（実施例２）
図５は、本発明に係る傘のろくろの実施例２を示す斜視図、図６は、実施例２のろくろの分解斜視図、図７は、実施例２のろくろの縦断面図、図８は、図７のろくろのVIII−VIII線横断面図である。
【００２９】
本実施例に係る傘のろくろ２００は、例えば下ろくろ（或いはランナー）として、傘（図示せず）の中棒３００に上下移動可能に装着され、傘骨５００が枢動可能に放射状に支持連結されるように構成されたものである。なお、この例における傘骨５００は例えば受骨であり、その基端部５０１には枢支孔５１０が設けられている。
【００３０】
本実施例に係るろくろ２００は、下ろくろとして、中棒３００に上下移動可能に装着されるように上下一体に嵌合する空筒状の上管体２１と下管体２９とから構成されたろくろ本体２０を有する。
【００３１】
上管体２１には、第１の凸部２２と第１の凹部２２０とが相互に配置されるように径方向の外向きに凹凸状に形成されている。縦溝２３は上管体２１に設けられている。第１の凸部２２の両側壁２２１には枢支軸２２２が突き出て設けられている。なお、枢支軸２２２は実施例１における枢支軸１２２と同じなので、重複した説明を省略する。
【００３２】
下管体２９には、上管体２１に嵌合される上筒部２９１と、上筒部２９１より下向きに延伸される下筒部２９７とを有し、上筒部２９１と下筒部２９７との間にはブラケット台２９２が径方向の外向きに環状に突き出て設けられている。ブラケット台２９２の上端面２９３には、所定の角間隔をおいて第１の凸部２２と第１の凹部２２０に対応する第２の凸部２９６と第２の凹部２９４とが軸方向に沿って凹凸状に形成されている。第１の凸部２２と第２の凸部２９６、及び第１の凹部２２０と第２の凹部２９４はそれぞれ組み合わされると、ブラケット台２９上に相互に配置されるように軸方向沿いに凹凸状に形成された凸部２０１と凹部２０２となる。凹部２０２には留めブロック２４が挿入されて配置されている。
【００３３】
第１の凸部２２と留めブロック２４、及び第２の凸部２９６と第２の凹部２９４には、第１の係合部２２７、２４８と第２の係合部２９５、２９５とが互いに嵌合可能に軸方向に沿って凹凸状に設けられている。なお、第１の係合部２２７及び２４８は、第１の凸部２２及び留めブロック２４のブラケット台２９２側の下端面よりロッド状に突き出て形成され、第２の係合部２９５は、ブラケット台２９２の上端面２９３より凹穴状に窪んで形成されている。
【００３４】
なお、留めブロック２４は実施例１における留めブロック１４と同じなので、重複した説明を省略する。
【００３５】
また、第１の係着部２３２はこの例では第２の凸部２９６の両側壁に周方向沿いに突き出て形成され、留めブロック２４の側壁２４１に窪んで形成された第２の係着部２４３と接触するように設けられている。
【００３６】
縦溝２３は、図６に示されているように、凸部２９６における隣り合わせた２つの対向する第１の係着部２３２間の開口部２３１の周方向沿いの幅がより奥側の底部２３３の周方向沿いの幅よりも狭い。
【００３７】
次に、本実施例に係る傘のろくろの組立て及び作用を以下に説明する。
まず、傘骨５００を対向する枢支軸２２２、２２２の隙間２２６より挿入し、傘骨５００の枢支孔５１０に枢支軸２２２が挿通すると、傘骨５００が凸部２０１の側壁２２１側に移動すると共に枢支軸２２２に枢動可能に連結される。そして、留めブロック２４のアーム形状の両側部２４２、２４２が縦溝２３に向かって押しつけられると、枢支軸２２２が周溝２４６に挿入され、肩部２４７が係止部２２４ｂに係止されると共に、両側部２４２がスロット２４５側に弾性的に揺動しながら、嵌合部２４４がリブ状の第１の係着部２３２を乗り越えて底部２３３に嵌合される。また、第１の係合部２２７、２４８と第２の係合部２９５、２９５とが互いに嵌合されるように上管体２１と上管体２９とが一体に組み合わされる。以上により、傘骨５００が凸部２０１及び留めブロック２４により挟持されながらろくろ２００に枢動可能に連結されることができる。
【００３８】
このように、本実施例に係るろくろによれば、針金などの線材を使わないのでねじやツールを使わなくても傘骨５００が枢動可能に取り付けられることができる。また、針金などの線材を使わないので、針金による指の負傷、衣服や傘布の損傷もなくなる。
【００３９】
従って、本発明に係るろくろにより、傘骨のろくろへの組立て手間が掛からず簡単に行うことができ、効率的に傘を製造することができ、製造のコストダウンを図ることができると共に、傘の使用安全性も向上することができる。
【産業上の利用可能性】
【００４０】
本発明に係るろくろは、組立てが簡単で、経済性及び使用安全性を備える傘に有用である。
【符号の説明】
【００４１】
１０    ろくろ本体
１２    凸部
１３    縦溝
１４    留めブロック
２０    ろくろ本体
２１    上管体
２２    第１の凸部
２３    縦溝
２４    留めブロック
２９    下管体
１００    ろくろ（上ろくろ）
１１１    外周面
１２０    凹部
１２１    第１の側壁
１２２    枢支軸
１２３    基端部
１２４    挿通端部
１２４ａ    ガイド部
１２４ｂ    係止部
１２６    隙間
１３１    開口部
１３２    第１の係着部
１３３    底部
１４１    第２の側壁
１４２    側部
１４３    第２の係着部（係止溝）
１４４    嵌合部
１４５    スロット
１４６    周溝
１４７    肩部
１４８    内周面
２００    ろくろ（下ろくろ）
２０１    凸部
２０２    凹部
２２０    第１の凹部
２２１    側壁
２２２    枢支軸
２２４ａ    ガイド部
２２４ｂ    係止部
２２６    隙間
２２７    第１の係合部
２３３    底部
２３１    開口部
２３２    第１の係着部
２４１    側壁
２４２    側部
２４３    第２の係着部（係止溝）
２４４    嵌合部
２４５    スロット
２４６    周溝
２４７    肩部
２４８    第１の係合部
２９１    上筒部
２９２    ブラケット台
２９３    上端面
２９４    第２の凹部
２９５    第２の係合部
２９６    第２の凸部
２９７    下筒部
３００    中棒
４００    傘骨（親骨）
４１０    枢支孔
５００    傘骨（受骨）
５１０    枢支孔
Ｌ    軸線
【要約】
【課題】傘骨の組立てを手間が掛らず簡単に且つ効率的に行うことができる傘のろくろを提供する。
【解決手段】ろくろ本体１０は、周方向に沿って角間隔をおいて凸部１２及び凹部１２０が相互に配置されるように凹凸状に形成され、留めブロック１４がその両側部により凸部１２と共に傘骨４００を挟持定位するように凹部１２０に設けられている。凸部１２及び留めブロック１４のそれぞれの対向する第１の側壁１２１と第２の側壁１４１には、第１の係着部１３２と第２の係着部１４３とが互いに係着可能に凹凸状に設けられ、留めブロック１４の第２の係着部１４３が設けられた両側部１４２、１４２の間には、軸方向沿いに延伸されるスロット１４５が設けられている。
【選択図】図２【図１】
0005563684.tif 000002
【図２】
0005563684.tif 000003
【図３】
0005563684.tif 000004
【図４】
0005563684.tif 000005
【図５】
0005563684.tif 000006
【図６】
0005563684.tif 000007
【図７】
0005563684.tif 000008
【図８】
0005563684.tif 000009